(57)【特許請求の範囲】
【請求項１】
被検体から受信された超音波エコーに相当する信号データに対して信号解析処理を行い、前記被検体に関する画像データを作成して表示する超音波診断装置において、
前記信号解析処理を行う信号解析部と、
前記被検体の診断対象に関する画像データが得られる前と、得られた後とで、前記信号解析部における前記信号解析処理に用いられる処理パラメータのうち、前記信号解析処理の分解能に影響を与える特定パラメータの値を異なる値に変更するパラメータ設定部と、
前記画像データに基づいて、前記被検体の診断対象の特徴を抽出する特徴抽出部と、
抽出された特徴が、前記被検体の診断対象の特徴と符合するか否かを判定する判定部と、を備え、
前記パラメータ設定部は、
前記判定部での判定が肯定された場合に、前記特定パラメータの値を変更することを特徴とする超音波診断装置。
【請求項２】
被検体から受信された超音波エコーに相当する信号データに対して信号解析処理を行い、前記被検体に関する画像データを作成して表示する超音波診断装置において、
前記信号解析処理を行う信号解析部と、
前記被検体の診断対象に関する画像データが得られる前と、得られた後とで、前記信号解析部における前記信号解析処理に用いられる処理パラメータのうち、前記信号解析処理の分解能に影響を与える特定パラメータの値を異なる値に変更するパラメータ設定部と、
前記画像データに含まれる波形の大きさに基づいて、その表示状態を自動調整する自動調整部と、
前記自動調整部による速度レンジの変動状態を示す分散が許容範囲内となったとき、前記自動調整部による調整状態が安定したと判定する判定部と、を備え、
前記パラメータ設定部は、
前記判定部によって、安定したとの判定がなされた場合に、前記特定パラメータの値を変更することを特徴とする超音波診断装置。
【請求項３】
被検体から受信された超音波エコーに相当する信号データに対して信号解析処理を行い、前記被検体に関する画像データを作成して表示する超音波診断装置の制御プログラムにおいて、
前記被検体の診断対象に関する画像データが得られる前と、得られた後とで、前記信号解析処理に用いられる処理パラメータのうち、前記信号解析処理の分解能に影響を与える特定パラメータの値を異なる値に変更するパラメータ変更手順を、超音波診断装置に実行させる場合に、
前記パラメータ変更手順に先立って、
前記画像データに基づいて、前記被検体の診断対象の特徴を抽出する特徴抽出手順と、
抽出された特徴が、前記被検体の診断対象の特徴と符合するか否かを判定する判定手順と、を含み、
前記パラメータ変更手順では、
前記判定手順での判定が肯定された場合に、前記特定パラメータの値を変更することを特徴とする超音波診断装置の制御プログラム。
【請求項４】
被検体から受信された超音波エコーに相当する信号データに対して信号解析処理を行い、前記被検体に関する画像データを作成して表示する超音波診断装置の制御プログラムにおいて、
前記被検体の診断対象に関する画像データが得られる前と、得られた後とで、前記信号解析処理に用いられる処理パラメータのうち、前記信号解析処理の分解能に影響を与える特定パラメータの値を異なる値に変更するパラメータ変更手順を、超音波診断装置に実行させる場合に、
前記パラメータ変更手順に先立って、
前記画像データに含まれる波形の大きさに基づいて、その表示状態を自動調整する自動調整手順と、
前記自動調整部による速度レンジの変動状態を示す分散が許容範囲内となったとき、前記自動調整手順での調整状態が安定したと判定する判定手順と、を含み、
前記パラメータ変更手順では、
前記判定手順において、安定したとの判定がなされた場合に、前記特定パラメータの値を変更することを特徴とする超音波診断装置の制御プログラム。
【発明の詳細な説明】
【技術分野】
【０００１】
本発明は、被検体から受信された超音波エコーに相当する信号データに対して信号解析処理を行い、前記被検体に関する画像データを作成して表示する超音波診断装置及び超音波診断装置の制御プログラムに係り、さらに詳しくは、前記被検体の診断対象に関する画像データを、適切に解析することができる超音波診断装置及び超音波診断装置の制御プログラムに関する。
【背景技術】
【０００２】
従来より、超音波パルス反射法や超音波ドプラ法などを用いて、被検体からの超音波エコーに相当する信号データに対してＦＦＴ処理などの解析処理を行って、被検体の診断部位の断層像やその血流情報を含む波形データなどの被検体の診断対象に関する画像データを作成して表示する超音波診断装置が知られている（例えば、特許文献１参照）。
【０００３】
このような超音波診断装置を用いて診断を行う場合には、被検体の診断対象に関する画像データ（例えば血流情報を含むドプラスペクトラム波形データ）から診断対象の診断指標を計測する作業を行う前に、まず、その診断対象に対応する画像データを検出する作業を行う必要がある。すなわち、超音波診断装置における診断においては、このような画像データを検出する作業段階である検出段階を経た後に、検出された画像データに基づいて診断指標を計測する計測段階に移行するのが一般的である。
【先行技術文献】
【特許文献】
【０００４】
【特許文献１】特開２００５−１８５７３１号公報
【発明の概要】
【発明が解決しようとする課題】
【０００５】
図１１には、超音波診断装置の表示画面の一例が示されている。この図１１の画面の下側には、心臓の弁逆流の様子を表すドプラスペクトラム波形が示されている。この波形の横軸は時間を示し、縦軸は、その時間での血流速を示すドプラスペクトラム波形を示している。図１１の波形では、その極性が負側に設定されており（すなわち、正常な血流の方向は負であり）、波形のうち、枠で囲まれている部分の波形、すなわち正側の波形は、心臓の弁逆流を表している。このような弁逆流は、その流速は速いが、その血流量は微小であり、Ｓ／Ｎ比が必ずしも良好でないため、検出するのは比較的困難であるとされている。
【０００６】
図１１に示されるようなドプラスペクトラム波形データは、高速フーリエ変換（ＦＦＴ）処理により作成される。ＦＦＴ処理では、各サンプル時点の前後の時間（この時間の長さを観測時間長という）の波形データを抽出し、抽出された時間での波形データに対してＦＦＴ処理を行って、そのサンプル時点でのドプラスペクトラムを求め、それを時系列に並べることによってドプラスペクトラム波形データを作成している。ＦＦＴ処理において、この観測時間長が適切に設定されていないと、例えば、図１１の枠で囲まれた正側のドプラスペクトラム波形、すなわち弁逆流に対応する波形などを検出して表示できない場合もある。
【０００７】
ＦＦＴ処理においては、速度検出感度と時間分解能との間には、トレードオフの関係がある。すなわち、観測時間長を長めに設定すると、各サンプル時点でスペクトラムは、広い周波数範囲でのスペクトラムの取得が可能となり、速度検出感度は高くなるが、その分だけ時間方向にデータが平滑化されてその時間分解能は低下する。一方、観測時間長を短めに設定すると、速度検出感度は低下するが、時間分解能は向上する。
【０００８】
このような観点からすれば、検出段階では観測時間長を長めに設定して、波形は時間方向に多少なまっても、各サンプル時点での速度検出感度を高いものとして波形を検出し易くし、検出された波形データに基づいて診断指標を計測する計測段階では、この観測時間長を短めに設定して、波形の時間分解能を向上させるのが望ましい。しかしながら、従来の超音波診断装置では、そのような観測時間長の切り替えを行う機能が提供されていなかった。このため、現状では、計測段階を考慮して検出段階から観測時間長を短めに設定し、速度検出感度を低下させたままで波形の検出が行われており、その分だけ波形の検出に時間を要していた。
【課題を解決するための手段】
【０００９】
上記課題を解決するために、請求項１に記載の発明は、被検体から受信された超音波エコーに相当する信号データに対して信号解析処理を行い、前記被検体に関する画像データを作成して表示する超音波診断装置において、前記信号解析処理を行う信号解析部と、前記被検体の診断対象に関する画像データが得られる前と、得られた後とで、前記信号解析部における前記信号解析処理に用いられる処理パラメータのうち、前記信号解析処理の分解能に影響を与える特定パラメータの値を異なる値に変更するパラメータ設定部と、前記画像データに基づいて、前記被検体の診断対象の特徴を抽出する特徴抽出部と、抽出された特徴が、前記被検体の診断対象の特徴と符合するか否かを判定する判定部と、を備え、前記パラメータ設定部は、前記判定部での判定が肯定された場合に、前記特定パラメータの値を変更することを特徴とする超音波診断装置である。
【００１０】
また、請求項３に記載の発明は、被検体から受信された超音波エコーに相当する信号データに対して信号解析処理を行い、前記被検体に関する画像データを作成して表示する超音波診断装置の制御プログラムにおいて、前記被検体の診断対象に関する画像データが得られる前と、得られた後とで、前記信号解析処理に用いられる処理パラメータのうち、前記信号解析処理の分解能に影響を与える特定パラメータの値を異なる値に変更するパラメータ変更手順を、超音波診断装置に実行させる場合に、前記パラメータ変更手順に先立って、前記画像データに基づいて、前記被検体の診断対象の特徴を抽出する特徴抽出手順と、抽出された特徴が、前記被検体の診断対象の特徴と符合するか否かを判定する判定手順と、を含み、前記パラメータ変更手順では、前記判定手順での判定が肯定された場合に、前記特定パラメータの値を変更することを特徴とする超音波診断装置の制御プログラムである。
【発明の効果】
【００１１】
請求項１及び請求項３に記載の発明によれば、前記被検体の診断対象からの超音波エコーに相当する信号データに対する信号解析処理において、前記被検体の診断対象に関する画像データが得られる前にあっては、画像データを検出しやすい値に設定されたパラメータの下での診断対象に関する画像データの検出が可能となり、その検出が容易となる。さらに、画像データが得られた後では、診断指標を計測しやすい値に設定された処理パラメータの下での画像データを用いた診断指標の計測が可能となり、正確に診断指標を計測することが可能となる。これにより、微小量のドプラスペクトラム信号であっても検出が容易となってその検出までに要する時間が短縮され、高精度、かつ、短時間な超音波診断が実現される。
【図面の簡単な説明】
【００１２】
【図１】本発明の一実施形態に係る超音波診断装置の概略構成を示すブロック図である。
【図２】制御部とＤモード処理部との詳細構成を示すブロック図である。
【図３】図３（Ａ）、図３（Ｂ）は、ＦＦＴ処理を説明するための模式図である。
【図４】表示部が表示する表示画面の一例を示す図である。
【図５】図５（Ａ）は、弁逆流が検出されていないドプラスペクトラム波形及び最高流速のトレース波形の一例であり、図５（Ｂ）は、弁逆流が検出されたドプラスペクトラム波形及び最高流速のトレース波形の一例である。
【図６】操作解析部の処理の一例を示すフローチャートである。
【図７】パラメータ設定部の処理の一例を示すフローチャートである。
【図８】図８（Ａ）は、検出段階での波形表示の一例を示す図であり、図８（Ｂ）は、計測段階での波形表示の一例を示す図である。
【図９】波形情報抽出部の処理の一例を示すフローチャートである。
【図１０】判定部の処理の一例を示すフローチャートである。
【図１１】心臓の弁逆流のドプラスペクトラム波形を示す図である。
【発明を実施するための形態】
【００１３】
以下、本発明に係る超音波診断装置及び超音波診断装置の制御プログラムの好適な実施形態について、図面を参照しながら具体的に説明する。
【００１４】
図１には、本実施形態に係る超音波診断装置１００の全体的な構成を示すブロック図が示されている。図１に示されるように、超音波診断装置１００は、図示しない被検体との間で超音波を送受信する超音波プローブ２と、超音波プローブ２によって受信された超音波に基づいて取得された被検体の２次元形態像（Ｂモード像）と、２次元血流像と、ドプラスペクトラム波形とを表示する表示部６とを含んで構成されている。
【００１５】
超音波プローブ２と表示部６の間には、信号処理等を行うユニットとして、送受信部３と、信号処理部４と、デジタルスキャンコンバータ（ＤＳＣ）５とが設けられている。そして、送受信部３と信号処理部４との間に、データ記憶部１１が設けられている。さらに、超音波診断装置１００は、これら各ユニット２，３，４，５，６を統括制御する制御部８を備えている。この制御部８には、入力マンマシンインターフェイスとしての操作パネル７が接続されている。
【００１６】
超音波プローブ２は、圧電セラミック等の圧電振動子を複数配列して備える。これら複数の圧電振動子に送受信部３から電圧パルスが印加されることで、超音波が発生し、被検体に対して超音波が送信されるようになる。超音波プローブ２は、送信された超音波が被検体で反射することにより得られる超音波エコーを受信し、この超音波エコーを、電気信号であるエコー信号に変換して、送受信部３に出力する。
【００１７】
送受信部３には、パルス発生器、送信遅延回路、パルサ、プリアンプ、Ａ／Ｄ、受信遅延回路、加算器、位相検波回路（いずれも不図示）が設けられている。
【００１８】
パルス発生器は、電圧パルスの送信タイミングを制御するもので、タイミング信号（クロックパルス）を所定時間毎に生成し、送信遅延回路に送信する。送信遅延回路は、電圧パルスの印加を圧電振動子毎に遅延させて時間差を設け、超音波ビームの走査方向を決定する。パルサは、送信遅延回路から受けたタイミングで各圧電振動子に各モードに応じたパルス幅の電圧パルスを印加する。
【００１９】
プリアンプは、エコー信号を増幅する。Ａ／Ｄは、増幅した信号をデジタル信号に変換する。受信遅延回路と加算器は、各振動子からの信号を整相加算して、単一信号を生成する。位相検波回路は、加算器を経た信号の所望中心周波数を０Ｈｚにする周波数シフトを行った後、直交位相検波したデジタル信号データ（ドプラ信号）を、所定のサンプリング周期で、データ記憶部１１に出力する。
【００２０】
データ記憶部１１は、直交位相検波された信号を保存するためのファーストインファーストアウト（ＦＩＦＯ）メモリを備えており、送受信部３から出力されたデジタル信号データを、時系列に従ってそのメモリ内に格納する。本実施形態では、説明を簡単にするため、このメモリの記憶容量が、表示部６に表示される画像の１枚分を格納可能な容量であるものとする。後述するフリーズ操作が行われない限り、送受信部からのデジタル信号データにより、メモリの記憶内容は、随時更新される。メモリ内に格納されたデジタル信号データは、古い順に、前記所定のサンプリング周期で、信号処理部４に出力される。データ記憶部１１は、データの書き込みの禁止又は許可をすることが可能な外部入力を備えている。
【００２１】
信号処理部４は、データ記憶部１１から出力されたデジタル信号データを入力し、このデジタル信号データに基づいて、各像を生成するための信号処理を実行する。
【００２２】
Ｂモード処理部１４は、エコーフィルタ、包絡線検波回路、ＬＯＧ（いずれも不図示）を備えており、２次元形態像を生成する信号処理（Ｂモード信号処理）を実行する。エコーフィルタは、データ記憶部１１から入力された周波数シフトによる信号にローパスフィルタをかける。包絡線検波回路は、包絡線を検波し、包絡線検波信号を得る。ＬＯＧは、包絡線検波信号に対して対数変換を施す。このようにして生成された２次元形態像のデータは、ＤＳＣ５へ送信される。
【００２３】
カラードプラモード処理部１５は、コーナーターニングバッファ、ウォールフィルタ、自己相関器、演算部（いずれも不図示）を備えており、２次元血流像を生成する信号処理（ＣＦＭモード信号処理）を実行する。コーナーターニングバッファは、送受信３の位相検波回路からの直交位相検波による信号（データ記憶部１１を介して得られる信号）のデータ列を一時的に記憶した後、並べ替えを行う。ウォールフィルタは、コーナーターニングバッファに記憶されたデータ列を所定順で読み出し、所定のフィルタ帯域をもって信号のクラッタ成分を除去する。自己相関器は、２次元のドプラ信号処理をリアルタイムで行い、信号を周波数分析する。演算部は、平均速度演算部、分散演算部、パワー演算部を有しており、それぞれ平均ドプラシフト周波数、分散値、または血流パワー値等の２次元血流像のデータを求める。例えば、演算部は、信号に含まれる血流の速度成分を対応するカラー情報に変換する。
【００２４】
図２には、Ｄモード処理部１６の詳細構成が示されている。図２に示されるように、Ｄモード処理部１６は、レンジゲート部２１と、ウォールフィルタ２３と、ＦＦＴ処理部２５と、トレース処理部２７とを備えており、ドプラスペクトラム波形データを形成するための信号処理（Ｄモード信号処理）を実行する。
【００２５】
レンジゲート部２１は、サンプルホールド回路（不図示）を有している。レンジゲート部２１は、レンジゲートに相当するサンプリングパルスに従って、被検体内の所望位置のドプラ信号をサンプルホールドする。ウォールフィルタ２３は、その所望位置のドプラ信号から、比較的動きの遅い血管壁、心臓壁等の不要低周波成分（クラッタ成分）を除去する。
【００２６】
ＦＦＴ処理部２５は、クラッタ成分が除去されたドプラ信号を周波数分析してそのスペクトラムデータを得る。このスペクトラムデータは、ＤＳＣ５に送信される。
【００２７】
図３（Ａ）、図３（Ｂ）には、ＦＦＴ処理部２５におけるＦＦＴ処理が模式的に示されている。図３（Ａ）は、ＦＦＴ処理部２５に入力されるドプラ信号Ａｘが示されており、図３（Ｂ）には、このドプラ信号Ａｘの所定区間をＦＦＴ処理して得られたドプラスペクトラムデータＢｘ（ｘ＝１、２、・・・）が示されている。このＦＦＴ処理においては、離散的なドプラ信号（図３（Ａ））のうち、例えば、ｑ１乃至ｑｍのｍ個のドプラ信号成分（すなわち時間長Ｔｍの成分）が抽出され、この成分に対してＦＦＴ処理が行なわれ、スペクトラム成分ｐ１乃至ｐｍに対する最初のドプラスペクトラムデータＢ１が生成される。次いで、時間ΔＴ後のｍ個のドプラ信号成分ｑ１＋ｊ乃至ｑｍ＋ｊがＦＦＴ処理されて新たなドプラスペクトラムデータＢ２が生成される。なお、図３（Ａ）ではｊ＝３の場合について示している。
【００２８】
以下、同様にして、時間２ΔＴ後のｑ１＋２ｊ乃至ｑｍ＋２ｊ、時間３ΔＴ後のｑ１＋３ｊ乃至ｑｍ＋３ｊ・・・のｍ個のドプラ信号成分に対しても順次ＦＦＴ分析が行なわれ、スペクトラム成分ｐ１乃至ｐｍに対するドプラスペクトラムデータＢ３、Ｂ４、・・・・が生成される。（図３（Ｂ））。
【００２９】
ｍは、制御部８によって設定可能な処理パラメータである。このｍによって決定される時間Ｔｍは、各時点でのスペクトラムを算出するために抽出される波形データの時間長であり、この時間Ｔｍを、以下では、観測時間長という。この観測時間長Ｔｍを長くすれば、各サンプル地点でのドプラスペクトラム波形は、広い速度範囲の血流を捉えた正確なものとなり、速度検出感度が向上するが、時間方向には平滑化された波形となり、時間分解能は低下する。また、観測時間長Ｔｍを短くすると、各サンプル地点での速度検出感度は低下するが、時間分解能は向上するようになる。
【００３０】
一方、ＦＦＴ処理部２５から出力されたスペクトラムデータは、トレース処理部２７にも送られる。トレース処理部２７は、入力したスペクトラムデータから、最高流速Ｖｐ（Ｖｐｅａｋ）、平均流速Ｖｍ（Ｖｍｅａｎ）のトレース波形データを作成して出力する。この最高流速Ｖｐ、平均流速Ｖｍのトレース波形データは、ＤＳＣ５や不図示の計測部にも出力されている。また、このトレース波形データは、計測部における被検体の診断対象の診断指標（血液流量や拍動流のＨＲ（Ｈｅａｒｔ  Ｒａｔｅ）、ＰＩ、ＲＩ（Ｒｅｓｉｓｔａｎｃｅ  Ｉｎｄｅｘ））の計測に用いられる。
【００３１】
ＤＳＣ５は、Ｂモード処理部１４、カラードプラモード処理部１５及びＤモード処理部１６から出力される各データを、表示部６に表示可能な画像信号（標準ＴＶ走査のアナログ信号）に変換して表示部６へ送信する。
【００３２】
表示部６は、モニタにより構成され、ＤＳＣ５で処理された各画像データに対応する画像を合成して表示する。図４には、表示部６が表示する表示画面の一例が示されている。図４に示されるように、この表示画面は、トリプレックスモードで表示されている。この表示画面において、その画面上部の断層像表示部３１には、２次元形態像内の関心領域（ＲＯＩ、Ｒｅｇｉｏｎ  Ｏｆ  Ｉｎｔｅｒｅｓｔ）に２次元血流像がオーバーレイ表示されている。図４では、心臓の断層像が示されている。また、画面下部の波形表示部３３には、その２次元形態像とともに、ドプラスペクトラム波形、すなわち血流の時系列データが表示されている。表示されるドプラスペクトラム波形は、断層像表示部３１内の断層像上に表示されたサンプルボリューム３５に示された位置に対応する波形となっている。このサンプルボリューム３５の位置を変更すると、レンジゲート部２１のサンプリングパルスのタイミングが変わり、変更されたサンプルボリューム３５の位置に対応するドプラスペクトラム波形が表示されるようになる。
【００３３】
ドプラスペクトラム波形は、例えばムービングバーＭＢを先頭にして、波形表示部３３上を、左端から右端へと一定速度で進むようにして描かれる。そして、ムービングバーＭＢは、右端に到達すると左端に戻り、改めて右端へ進む。このムービングバーに追従して、ドプラスペクトラム波形の波形表示が更新されていく。このような画面の更新をスクロールという。後述する速度レンジの更新や、処理パラメータの変更は、ムービングバーが左端にあって、画面が更新される時点において、その更新と同時にしか行うことができないように規定されている。
【００３４】
操作パネル７は、キーボード、トラックボール、マウス等により構成される。この操作パネル７は、操作者が各モードの切替えや、ＲＯＩの位置やレンジゲート（サンプルボリューム３５）の切替え、ドプラスペクトラム波形データを収集するポイントの変更等を入力するために用いられる。また、この操作パネル７上には、表示部６に表示される画像を、動画像か静止画像かのいずれかに切り替えるフリーズＯＮ／ＯＦＦボタン（不図示）が設けられている。動画像が表示されている場合にこのフリーズＯＮ／ＯＦＦボタンが押下されると、表示部６には静止画像が表示される。このときのボタン操作をフリーズ操作という。また、静止画像が表示されている場合にこのフリーズＯＮ／ＯＦＦボタンが押下されると、表示部６には、動画像が表示される。このときのボタン操作をフリーズ解除操作という。
【００３５】
制御部８は、ＣＰＵ８１、ＲＡＭ８２、ＨＤＤ８３等のコンピュータとシーケンサ８４により構成される。ＨＤＤ８３には、超音波診断装置１００の制御プログラムが記憶されている。制御部８では、ＨＤＤ８３からＲＡＭ８２上に、この制御プログラムを読み出し、ＣＰＵ８１がその制御プログラムを実行することにより、図２に示される制御部８内に設けられた操作解析部６１、パラメータ設定部６３、判定部６５、波形情報算出部６７、自動調整部６９などの機能が実現される。操作解析部６１、パラメータ設定部６３、判定部６５、波形情報抽出部６７、自動調整部６９は、所定の周期（例えばタイマ割り込みなど）で、定期的に実行される、リアルタイム実行タスクである。
【００３６】
操作解析部６１は、操作パネル７から送信されるその操作内容に関する情報を受信し、その受信結果を解析し、その解析結果に応じた処理を行う。例えば、操作解析部６１は、操作パネルの操作内容を解析し、必要であれば、パラメータ設定部６３にパラメータ変更指令を発する。また、操作解析部６１は、必要に応じて、データ記憶部１１への書き込み禁止、書き込み許可の指令を、データ記憶部１１に与える。また、操作解析部６１は、信号処理部４に対して、データ記憶部１１に保存されたデータの再処理指令などを送信することもできるようになっている。
【００３７】
パラメータ設定部６３は、操作解析部６１や判定部６５からのパラメータ変更指令に応じて、ＦＦＴ処理部２５の処理パラメータの値を変更することができる。本実施形態では、説明を簡単にするため、値が変更される処理パラメータを、上述した観測時間長Ｔｍのみとする。一般に、観測時間長Ｔｍを長めに設定した方が、速度検出感度を上げて診断対象に対応するドプラスペクトラム波形データを検出し易くなるため、波形データを検出する検出段階では、パラメータ設定部６３は、観測時間長Ｔｍの値としては、長めの数値を設定するようになる。また、観測時間長Ｔｍを短めに設定した方が、波形の時間分解能が高くなるため、診断指標を計測する計測段階では、パラメータ設定部６３は、観測時間長Ｔｍの設定値としては、短めの数値を設定するようになる。各段階での観測時間長Ｔｍの値は、それぞれＨＤＤ８３上のパラメータ設定値格納部７１に予め格納されており、パラメータ設定部６３は、パラメータの値を変更する際に、このパラメータ設定値格納部７１に格納されたパラメータ設定値を参照すればよいようになっている。
【００３８】
判定部６５は、ドプラスペクトラム波形などに基づいて、パラメータの値の変更の可否を自動判定するために設けられている。判定部６５は、後述する波形情報抽出部６７から得られるドプラスペクトラム波形の特徴や、自動調整部６９から受信する表示部６における表示画面の自動調整の調整状態などから、例えば、診断対象に関する波形が検出されたか否かを判定する。そして、判定部６５は、この判定が肯定的であった場合には、パラメータ変更指令を、パラメータ設定部６３に送信する。
【００３９】
波形情報抽出部６７は、トレース処理部２７から、最高流速Ｖｐ、平均流速Ｖｍのトレースデータを入力している。波形情報抽出部６７は、これらのトレースデータに基づいて、被検体の診断対象の特徴を抽出する。
【００４０】
個々の診断対象に対応する波形データにはそれぞれ特徴がある。波形情報抽出部６７は、その特徴を抽出して出力する。以下、この診断対象の特徴について、具体的に説明する。
【００４１】
図５（Ａ）、図５（Ｂ）には、心臓の弁の血流に対応するドプラスペクトラム波形が示されている。
【００４２】
図５（Ａ）に示されるトレース波形データでは、負側だけにピークが現れている。通常、ドプラ法においては、血流の方向が超音波プローブに向かってくる血流に正、遠ざかっていく血流に負の符号が付与される。ある血管に超音波プローブを当てると、その血管が動脈の場合には、血流の速度は拍動により変動するが、正負に跨って変化することはなく、通常は、正負どちらかに偏っている。したがって、図５（Ａ）に示される波形では、心臓の弁流は常に負の方向であり、弁逆流は検出されていないことになる。この場合、太線であらわされる正側、負側の最高流速Ｖｐのトレースデータの波形のうち、一方の極性のみ、すなわち負側のトレースデータの波形のみが、所定レベルを超えるようになる。
【００４３】
図５（Ｂ）に示されるトレース波形データでは、正側だけでなく、負側にもピークが現れている（中央の横線が流速がゼロであることを示す。）。この場合、同じ位置（サンプルボリューム３５で指定された位置）で、正逆の血液の流れが存在することになる。ここで、サンプルボリューム３５の指定位置が心臓の弁であったとすると、正側の波形は、弁逆流を表していることになる。
【００４４】
このように、診断対象が心臓であり、その弁逆流が存在するような場合には、最高流速Ｖｐのトレースデータの波形は、一方の極性だけでなく、正側でも負側でも一定レベルを超えるようになる。波形情報抽出部６７は、このような波形の特徴を抽出して、判定部６５に送信する。
【００４５】
自動調整部６９は、トレース処理部２７から最高流速Ｖｐ、平均流速Ｖｍのトレースデータを入力し、そのトレースデータに基づいて、表示部６に表示されるドプラスペクトラム波形に発生する折り返しを防止すべく、速度レンジ（ドプラスペクトラム波形の速度表示範囲）、ベースライン（ドプラスペクトラム波形のゼロレベル）の自動調整を行う。自動調整部６９は、一定時間のトレースデータを抽出し、抽出されたトレースデータにおける血流の最大流速Ｖｐ、及び平均流速Ｖｍの分布に対する統計値を算出する。そして、算出された統計値に基づいて、現在のドプラスペクトラム波形を、適切に表示する速度レンジ等を調整する。なお、自動調整部の具体的な処理内容については、例えば、特開２００５−１８５７３１号公報に開示されているので、詳細な説明を省略する。自動調整部６９は、調整した速度レンジ等に関する情報を判定部６５に出力している。
【００４６】
判定部６５は、波形情報抽出部６７で抽出された波形の特徴や、自動調整部６９から入力した速度レンジ等に関する情報などを受信し、受信した情報に基づいて、診断対象に対応する波形が検出されているか否か、又は、調整状態が安定しているか否かの判定を行う。
【００４７】
次に、本実施形態に係る超音波診断装置の各部の処理動作についてさらに具体的に説明する。
【００４８】
図６には、操作解析部６１の処理の一例のフローチャートが示されている。図６に示されるように、ステップ２０１では、操作解析部６１は、操作入力待ちとなっている。操作パネル７から操作入力があると、操作解析部６１は、その操作内容がフリーズ操作であるか否かを判断する（ステップ２０３）。この判断が肯定されるとステップ２０５に進み、否定されると、ステップ２１３に進む。
【００４９】
ステップ２０５〜ステップ２１１は、操作内容がフリーズ操作であった場合の処理である。操作解析部６１は、まず、データ記憶部１１に対し、書き込み禁止指令を発信する（ステップ２０５）。データ記憶部１１は、この書き込み禁止指令を受けて、所定のタイミングで、送受信部３から入力されるデータの書き込みを禁止する。ここで、所定のタイミングとは、表示部６の波形表示部３３の波形がその右端に到達し、左端から波形が更新される際のその波形に対応するデータが、メモリに書き込まれるタイミング、すなわち、画像１枚分の最初の画像データに用いられる最初の信号データ（図３（Ａ）では、例えばｑ１）の書き込みが行われるタイミングである。
【００５０】
次のステップ２０７では、操作解析部６１は、パラメータ設定部６３に対して、パラメータ変更指令を発信し、ステップ２０９において、パラメータ設定部６３からの変更完了通知を待つ。この指令を受けて、パラメータ設定部６３は、後述するように、ＦＦＴ処理部２５の処理パラメータの設定値を変更し、その変更が完了すると、操作解析部６１に変更完了通知を返す。操作解析部６１は、これを受けて、ステップ２１１に進む。
【００５１】
ステップ２１１では、Ｄドプラモード処理部１６に対し、再処理を指令する。これを受けて、Ｄドプラモード処理部１６は、書き込みが禁止されたデータ記憶部１１から、すでに書き込まれているデータを先頭から古い順に読み出して、レンジゲート部２１、ウォールフィルタ２３、ＦＦＴ処理部２５、トレース処理部２７での再処理を実行する。これにより、表示部６の表示画面には、この再処理の結果、すなわち、データ記憶部１１に保存された信号データの処理結果の静止画像が表示されるようになる。
【００５２】
一方、ステップ２０３で、操作内容がフリーズ操作でないと判断された場合には、ステップ２１３で、操作内容がフリーズ解除操作であるか否かが判断される。この判断が肯定されれば、ステップ２１５に進み、否定されればステップ２２１に進む。
【００５３】
ステップ２１５〜ステップ２１９は、操作内容がフリーズ解除操作であった場合の処理である。まず、ステップ２１３では、データ記憶部１１に対し、書き込み許可指令を発信する。これを受けて、データ記憶部１１は、送受信部３からのデータの書き込み禁止を解除する。送受信部３からのデータの書き込みは、メモリの先頭から行われる。次のステップ２１５では、パラメータ設定部６３に対し、パラメータ変更指令を発信し、次のステップ２１７で、変更完了通知を待つ。これを受けて、パラメータ設定部６３は、ＦＦＴ処理部２５の処理パラメータを変更し、変更完了通知を、操作解析部６１に返す。
【００５４】
一方、ステップ２１３で、操作内容がフリーズ操作でなく、他の操作であったと判定された場合には、ステップ２２１において、その他の操作に対応するコマンド処理が実行される。
【００５５】
ステップ２１１、ステップ２１９、ステップ２２１終了後は、ステップ２０１に戻り、再び、操作入力待ちとなる。
【００５６】
次に、パラメータ設定部６３の動作について説明する。図７には、パラメータ設定部６３の一例のフローチャートが示されている。図７に示されるように、まず、パラメータ設定部６３は、ステップ２５１において、パラメータ変更指令の受信待ちとなっている。前述したように、操作解析部６１等から、パラメータ変更指令を受信すると、ステップ２５３に進む。ステップ２５３では、検出モードが設定されているか否かを判断する。パラメータ設定部６３は、現在、診断対象に対応する波形を検出する検出段階のモード、すなわち検出モードであるか、診断指標を計測する計測段階のモード、すなわち計測モードであるかを内部で管理しており、その管理情報を参照することにより、この判断がなされる。
【００５７】
ステップ２５３の判断が肯定されればステップ２５５に進み、否定されればステップ２５７に進む。ステップ２５５では、検出モードから計測モードへ切り替えのために計測モードの処理パラメータの値（すなわち、観測時間長Ｔｍの短めの値）を、パラメータ設定値格納部７１から読み出す。また、ステップ２５７では、計測モードから検出モードへの切り替えのために、検出モードの処理パラメータの値（すなわち、観測時間長Ｔｍの長めの値）をパラメータ設定値格納部７１から読み出す。
【００５８】
次のステップ２６１では、読み出した観測時間長Ｔｍの設定値を、ＦＦＴ処理部２５に設定することにより、ＦＦＴ処理の観測時間長Ｔｍの値を変更する。次のステップ２６３では、変更完了通知を、パラメータ変更指令の発信元（例えば、操作解析部６１等）に返す。ステップ２６３終了後は、再び、ステップ２５１に戻り、パラメータ変更指令待ちとなる。
【００５９】
図８（Ａ）には、フリーズ操作前における表示部６の表示画面の一例が示されており、図８（Ｂ）には、フリーズ操作後の表示部６の表示画面の一例が示されている。図８（Ａ）、図８（Ｂ）に示されるように、フリーズ操作前とフリーズ操作後とでは、ＦＦＴ処理部２５の処理パラメータ（観測時間長Ｔｍ）の値が変更されているため、両者の間で、表示されているドプラスペクトラム波形が大きく異なっているのがわかる。
【００６０】
次に、波形情報抽出部６７の動作について説明する。図９には、波形情報抽出部６７の処理の一例のフローチャートが示されている。図９に示される処理は、診断対象を心臓の弁逆流とし、その特徴に関する情報を抽出する処理である。
【００６１】
図９に戻り、波形情報抽出部６７は、定期的なタイマ割り込みによってスタートする。まず、ステップ３０１において、一定時間内のトレースデータを、トレース処理部２７から取得する。次のステップ３０３では、正側の最高流速のトレースデータの平均値を算出し、次のステップ３０５では、負側の最高流速のトレースデータの平均値を算出する。次のステップ３０７では、最高流速Ｖｐのトレースデータの平均値（正、負）を、判定部６５に送信し、処理を終了する。
【００６２】
次に、判定部６５の動作について説明する。図１０には、判定部６５の処理の一例のフローチャートが示されている。判定部６５の処理モードには、ＡモードとＢモードとが含まれている。Ａモードとは、波形情報抽出部６７から送られる情報に基づいて、処理パラメータの変更の可否を判定するモードであり、Ｂモードとは、自動調整部６９から送られる情報に基づいて、処理パラメータの変更の可否を判定するモードである。Ａモード／Ｂモードは、装置パラメータにより、予め設定されているものとする。
【００６３】
図１０に示されるように、判定部６５は、定期的なタイマ割り込みによって処理を開始する。まず、ステップ３５１では、処理モードがＡモードに設定されているか否かを判断する。この判断が肯定されればステップ３５３に進み、否定されればステップ３６１に進む。
【００６４】
ステップ３５３〜ステップ３５９における処理は、Ａモード設定時の処理である。まず、ステップ３５３では、最高流速のトレースデータ（正、負）の平均値を受信する。次のステップ３５５では、正側の最高流速のトレースデータの平均値と、負側の最高流速のトレースデータの平均値とが、ともに閾値を上回っているか否かを判断する。そして、この判断が肯定された場合にのみ、ステップ３５７において、パラメータ変更指令を、パラメータ設定部６３に発信して、ステップ３５９において、その変更完了通知を待つ。これを受けて、パラメータ設定部６３は、ＦＦＴ処理部２５の処理パラメータを変更して、変更完了通知を返す。判定部６５は、この変更完了通知を受けて、処理を終了する。ステップ３５５において、判断が否定された場合には、そのまま処理を終了する。
【００６５】
一方、ステップ３５５で判断が否定された場合には、パラメータ変更指令を発することなく処理を終了する。
【００６６】
ステップ３６１〜ステップ３７１の処理は、Ｂモード設定時の処理である。まず、ステップ３６１では、Ｂモードが設定されているか否かを判断する。この判断が肯定された場合にはステップ３６３に進み、否定された場合には、処理を終了する。
【００６７】
ステップ３６３では、自動調整部６９から出力される速度レンジのデータを受信する。次のステップ３６５では、一定期間の速度レンジのばらつき、例えば分散を算出する。次のステップ３６７では、その分散が許容値以内であるか否かを判断する。この判断が肯定された場合にのみステップ３６９に進んでパラメータ変更指令を発し、ステップ３７１では、変更完了通知の受信待ちとなる。これを受けて、パラメータ設定部６３は、ＦＦＴ処理部２５の処理パラメータを変更して、変更完了通知を返す。判定部６５は、この変更完了通知を受けて、処理を終了する。
【００６８】
一方、ステップ３６７において、判断が否定された場合には、そのまま処理を終了する。
【００６９】
以上述べたように、制御部８では、操作パネル７から入力されるフリーズ操作又はフリーズ解除操作、波形情報抽出部６７によって抽出された波形情報、自動調整部６９での調整状態に関する情報に基づいて、ＦＦＴ処理部２５における処理パラメータの値（観測時間長Ｔｍの値）を変更する。なお、Ｂモードの処理（ステップ３６３〜ステップ３７１）では、速度レンジの分散を基準として、パラメータの変更の可否を判断したが、速度レンジの分散の代わりに、速度レンジの変動の大きさを示す他の統計値（例えば、標準偏差など）を用いることが可能である。
【００７０】
次に、上述した構成及び動作を有する超音波診断装置１００を用いた診断の流れについて説明する。
【００７１】
まず、フリーズ操作を行う診断方法について説明する。最初の時点では、オペレータは、超音波プローブ２を被検体にあて、表示部６の断層像表示部３１に表示された断層像を見ながら、サンプルボリューム３５の診断対象部位への位置合わせを行う。その位置合わせの際には、波形表示部３３を確認し、取得すべき波形データが表示されているか否かを確認する。この段階は、まだ波形の検出段階であり、ＦＦＴ処理の処理パラメータ（観測時間長Ｔｍ）には、波形を検出し易いように、長めの値が設定されている。これにより、オペレータは、高い速度検出感度の下で、波形データを検出することが可能となる。
【００７２】
波形表示部３３に、診断対象に対応する波形データが波形表示部３３に表示され、その波形データが得られたことを確認すると、オペレータは、操作パネル７のフリーズＯＮ／ＯＦＦボタンを押下する。このフリーズＯＮ／ＯＦＦボタンの押下により、その操作内容が、操作解析部６１に送られると、パラメータ変更指令が、パラメータ設定部６３に送られて、ＦＦＴ処理の処理パラメータ（観測時間長Ｔｍ）の値が短めの値に変更される。これにより、高い時間分解能を提供する処理パラメータの下で、ＦＦＴ処理された波形データ（静止画像）が作成されるようになり、この波形データを用いて診断指標を高精度に計測できるようになる。
【００７３】
次に、Ａモード（波形情報抽出部によるパラメータ変更）を用いた診断方法について説明する。最初の時点では、オペレータは、超音波プローブ２を被検体にあて、表示部６の断層像表示部３１に表示された断層像を見ながら、サンプルボリューム３５の診断対象部位への位置合わせを行う。その位置合わせの際には、波形表示部３３を確認し、取得すべき波形データが表示されているか否かを確認する。この段階は、まだ、波形の検出段階であり、ＦＦＴ処理の処理パラメータ（観測時間長）には、長めの値が設定されている。これにより、オペレータは、高い速度検出感度の下で、波形データを検出することが可能となる。
【００７４】
サンプルボリューム３５が適切に設定され、逆弁流の特徴が波形データに出現すると、波形情報抽出部６７で抽出された正負の最高流速のトレースデータの平均値は、ともに閾値を超えるようになるため、判定部６５は、パラメータ設定部６３にパラメータ変更指令を発する。これを受けて、パラメータ設定部６３は、処理パラメータ（観測時間長Ｔｍ）の値を変更する。これにより、高い時間分解能を提供する処理パラメータの下で、ＦＦＴ処理された波形データが作成されるようになり、この波形データを用いて、診断指標を高精度に計測できるようになる。
【００７５】
次に、Ｂモード（自動調整の調整状態によるパラメータ変更）を用いた診断方法について説明する。最初の時点では、オペレータは、超音波プローブ２を被検体にあて、表示部６の断層像表示部３１に表示された断層像を見ながら、サンプルボリューム３５の診断対象部位への位置合わせを行う。その位置合わせの際には、波形表示部３３を確認し、取得すべき波形データが表示されているか否かを確認する。この段階は、まだ波形の検出段階であり、ＦＦＴ処理の処理パラメータ（観測時間長）の値としては、長めの値が設定されている。これにより、オペレータは、高い速度検出感度の下で、波形データを検出することが可能となる。
【００７６】
自動調整部６９は、トレース処理部２７から得られる最高流速Ｖｐ．平均流速Ｖｍのトレース波形に基づいて、速度レンジを調整し、その調整値を、判定部６５に出力する。判定部６５は、その速度レンジの変動状態を示す分散が、許容範囲内となったときに、波形データが検出されたものと判断して、パラメータ設定部６３に、パラメータ変更指令を発し、パラメータ設定部６３は、処理パラメータ（観測時間長）の値を短めの値に変更する。これにより、高い時間分解能を提供する処理パラメータの下で、ＦＦＴ処理された波形データが作成されるようになり、この波形データを用いて、診断指標を高精度に計測できるようになる。
【００７７】
以上詳細に説明したように、本実施形態によれば、被検体の診断対象からの超音波エコーに相当する信号データに対する信号処理部４において、被検体の診断対象に関する波形が得られる前にあっては、波形を検出しやすい値に設定された処理パラメータ（観測時間長Ｔｍ）の下での診断対象に関する波形の検出が可能となり、その検出が容易となる。さらに、画像データが得られた後では、診断指標を計測しやすい値に設定された処理パラメータ（観測時間長Ｔｍ）の下での波形データを用いた診断指標の計測が可能となり、正確に診断指標を計測することが可能となる。これにより、微小量のドプラスペクトラム信号であっても検出が容易となってその検出までに要する時間が短縮され、高精度、かつ、短時間な超音波診断が実現される。
【００７８】
また、本実施形態に係る超音波診断装置１００では、パラメータ設定部６３は、操作パネル７で切り替え操作が行われた場合に、観測時間長Ｔｍの値を変更する。このようにすれば、波形が検出されたものと判断したオペレータは、操作パネル７を用いた切り替え操作を行えば、その操作に伴って処理パラメータの値が自動的に変更されるようになるため、装置の操作性が著しく向上するようになる。
【００７９】
また、本実施形態に係る超音波診断装置１００では、パラメータの変更は、表示する画像を、動画像から静止画像へ切り替えるフリーズ操作によって行われる。このようなフリーズ操作は、通常、波形の検出後において行われるため、このフリーズ操作に連動して、処理パラメータの値の変更を自動的に行うようにすれば、オペレータの作業負担が著しく軽減される。
【００８０】
また、本実施形態に係る超音波診断装置１００では、データ記憶部１１には、Ｄモード処理等が施される前のデータが保存される。そして、制御部８のＤモード処理部１６は、表示する画像を動画像から静止画像に切り替える場合に、パラメータ設定部により値が変更された観測時間長Ｔｍの下で、データ記憶部１１に保存された信号データに対して所定の処理を再び行って波形データを作成する。このようにすれば、すでに、長い観測時間長Ｔｍの下で、ＦＦＴ処理がすでに行われた波形データであっても、観測時間長Ｔｍを短く設定してＤモード処理を再処理して、表示部６の画面上に再表示することが可能となる。
【００８１】
また、本実施形態に係る超音波診断装置１００では、波形情報抽出部６７が、波形データの特徴を抽出する。そして、判定部６５は、抽出された特徴が、被検体の診断対象の特徴と符合するか否かを判定する。そして、パラメータ設定部６３は、判定部６５の判定が肯定的であると判定した場合に、処理パラメータの値を変更する。このようにすれば、波形の特徴に基づいて、診断対象の波形データを検出した後、処理パラメータを自動的に変更するようになるため、オペレータの作業負担が著しく軽減されるようになる。
【００８２】
なお、上記実施形態では、心臓の弁逆流を診断対象として、その波形データに現れる特徴を抽出して、波形検出を確認したが、このような波形の特徴は、診断対象によって様々である。したがって、波形情報抽出部６７は、その診断対象に応じた波形情報を抽出し、判定部は、その波形の特徴に応じた判定処理を行う必要がある。
【００８３】
また、本実施形態に係る超音波診断装置１００では、自動調整部６９が、波形データの大きさに基づいて、波形の表示状態を自動調整する。そして、判定部６５は、自動調整部６９による調整状態が安定しているか否かを判断する。さらに、パラメータ設定部６３は、判定部６５の判定が肯定的であると判定した場合に、処理パラメータの値を変更する。このようにすれば、自動調整部６９の調整状態が安定している場合には、処理パラメータを自動的に変更するようになるため、オペレータの作業負担が著しく軽減されるようになる。
【００８４】
なお、上記実施形態に係る超音波診断装置１００では、値を変更する処理パラメータを、ＦＦＴ処理部における観測時間長Ｔｍとしたが、本発明はこれには限られず、信号処理部４の分解能に関わる処理パラメータであれば、すべて変更の対象となる。例えば、図３（Ａ）に示されるサンプリング間隔ΔＴが変更されるパラメータの一例として挙げられる。
【００８５】
また、処理パラメータの変更対象となる処理部は、ＦＦＴ処理部２５には限らない。例えば、トレース処理部２７において最高流速Ｖｐ等を求めるために抽出される波形データの時間長などを変更するようにしてもよい。さらには、Ｂモード処理部１４、カラードプラモード処理部１５の処理パラメータを変更するようにしてもよい。
【００８６】
この他、変更可能なパラメータとしては、ピクセルレシオ、表示色などの、表示部６における表示パラメータが含まれるようにしてもよい。
【００８７】
また、上記実施形態では、変更するパラメータの値を、波形が検出される段階で１つ、診断指標を計測する段階で１つとしたが、これには限られず、各段階で複数備えるようにしてもよい。このようにすれば、各段階において、複数の設定値の中から最適な設定値を選択することもできるようになる。このとき、フリーズ操作後に、パラメータの値を順次切り替えつつ、データ記憶部１１に記憶された信号データに対してＤモード処理を再処理させて、表示部６に表示させて、最も良好な波形データに対応する最適な処理パラメータを選択するようにしてもよい。なお、このような処理を行うには、操作パネル７上に、別途、フリーズＯＮ／ＯＦＦボタンとは別に、処理パラメータを切り替えるためのマンマシンインターフェイスが別途必要となる。
【００８８】
なお、上記実施形態では、データ記憶部１１を、送受信部３と信号処理部４との間に配置したが、本発明はこれには限られず、信号処理部４の各処理部１４、１５、１６内にそれぞれ設けるようにしてもよい。この場合、Ｄモード処理部１６では、ウォールフィルタ２３とＦＦＴ処理部２５との間に、データ記憶部が設けられていても良い。要は、データ記憶部は、値が変更される処理パラメータに対応する処理部の前段に設けられていればよい。
【００８９】
また、上記実施形態では、表示部６の表示モードをトリプレックスモードとしたが、本発明はこれには限られない。ドプラスペクトラム波形の単独表示であっても構わないのは勿論である。
【００９０】
また、上記実施形態に係る超音波診断装置１００は、ドプラスペクトラム波形の算出に、パルスドプラ法を用いたが、連続波ドプラ法についても本発明を適用することができるのは勿論である。
【００９１】
なお、上記実施形態では、超音波振動子として、圧電振動子を用いたが、超音波振動子としては、近年のＭＥＭＳ技術の進歩によって、振動部をシリコン基板上に作製可能となった容量検出型超音波トランスデューサ （ＣＭＵＴ：Capacitive Micromachined Ultrasonic Transducer）を用いるようにしてもよい。
【００９２】
上述した実施態様及び各種変形例は、本発明の範囲を制限するものではない。従って、当業者であればこれらの各要素もしくは全要素をこれと均等なものによって置換した実施態様を採用することが可能であるが、これらの実施態様も本発明の範囲に含まれる。
【符号の説明】
【００９３】
２            超音波プローブ
３            送受信部
４            信号処理部
５            ＤＳＣ
６            表示部
７            操作パネル
８            制御部
１１            データ記憶部
１４            Ｂモード処理部
１５            カラードプラモード処理部
１６            Ｄモード処理部
２１            レンジゲート部
２３            ウォールフィルタ
２５            ＦＦＴ処理部
２７            トレース処理部
３１            断層像表示部
３３            波形表示部
３５            サンプルボリューム
６１            操作解析部
６３            パラメータ設定部
６５            判定部
６７            波形情報抽出部
６９            自動調整部
７１            パラメータ設定値格納部
８１            ＣＰＵ
８２            ＲＡＭ
８３            ＨＤＤ
１００            超音波診断装置
ＭＢ            ムービングバー
【図１】
0005433713.tif 000002
【図２】
0005433713.tif 000003
【図３】
0005433713.tif 000004
【図４】
0005433713.tif 000005
【図５】
0005433713.tif 000006
【図６】
0005433713.tif 000007
【図７】
0005433713.tif 000008
【図８】
0005433713.tif 000009
【図９】
0005433713.tif 000010
【図１０】
0005433713.tif 000011
【図１１】
0005433713.tif 000012